(57)【要約】【課題】共振形インバータのスイッチング素子の通流率を適当に制御することによって，始動動作時にスイッチング素子がそれぞれ同時に共振周波数で動作することがなく、共振動作における過大な共振電圧・共振電流を抑制する。【解決手段】直流電源１０、該直流電源の出力を交流に変えて共振形点灯回路に供給する一対の直列接続されたスイッチング素子３１・３２、各該スイッチング素子と逆並列に接続された一対のフライホイールダイオード４１・４２を含むインバータを備えた、インバータ形の蛍光灯点灯装置を備える。スイッチング制御回路２０とスイッチング制御回路２０に付属し始動時の過程でスイッチング周波数を低減させるタイマー部２５のはたらきによって、第一スイッチング素子３１・第二スイッチング素子３２の動作周波数がそれぞれ同時に共振周波数で動作することがないようにする。このため、始動動作時の共振動作における過大な共振電圧の共振電流の抑制が行える。【選択図】　　図１
2004134331.tif 000002
【特許請求の範囲】
【請求項１】
順直列一対の第一スイッチング素子・第二スイッチング素子を備え、前記第一スイッチング素子と逆並列に接続する第一フライホイールダイオードを備え、前記第二スイッチング素子と逆並列に接続する第二フライホイールダイオードを備え、前記両スイッチング素子の接続交点に接続する点灯回路を備え、前記点灯回路は蛍光ランプと該蛍光ランプに直列のバラスト用インダクタと該蛍光ランプの非電源側端子間に接続する予熱用コンデンサを含む回路であり、前記第一スイッチング素子・第二スイッチング素子を交互にオン・オフさせ、かつ、前記蛍光ランプの始動時に前記第一スイッチング素子に長いオン期間を形成させ前記第二スイッチング素子に短いオン期間を形成させるように制御するスイッチング制御回路を備え、前記スイッチング制御回路に付属し前記始動時の過程でスイッチング周波数を低減させるタイマー部を備え、前記第一スイッチング素子を介して前記点灯回路に順方向電流を供給する第一コンデンサを備え、前記第二スイッチング素子を介して前記点灯回路５０に逆方向電流を供給する第二コンデンサを備えたことを特徴とする蛍光灯予熱始動方式。
【発明の詳細な説明】
【０００１】
【産業上の利用分野】
本発明はインバータの負荷を共振形点灯回路とするタイプの蛍光灯予熱始動方式に関するものである。特にその始動動作時の共振動作における過大な共振電圧・共振電流の抑制に好適なものである。
【０００２】
【従来の技術】
共振点を早く越える、あるいは蛍光灯の点灯を確認して共振点を越え、不点灯であれば共振点手前で更なるスイッチング周波数の低減を停止する方法がある。
【０００３】
【発明が解決しようとする課題】
蛍光ランプが点灯状態に至る過程で、スイッチング素子がそれぞれ同時に共振周波数で動作する可能性があつた。
本発明の目的はスイッチング素子の通流率を適当に制御することによって，始動動作時にスイッチング素子がそれぞれ同時に共振周波数で動作することがなく、共振動作における過大な共振電圧・共振電流を抑制する蛍光灯点灯装置を提供することである。
【０００４】
【課題を解決するための手段】
本発明は、直流電源１０、該直流電源の出力を交流に変えて共振形点灯回路に供給する一対の直列接続されたスイッチング素子３１・３２、各該スイッチング素子と逆並列に接続された一対のフライホイールダイオード４Ｌ・４２　を含むインバータを備えた、インバータ形の蛍光灯点灯装置を前提とする。
本発明は、スイッチング制御回路２０とスイッチング制御回路２０に付属し始動時の過程でスイッチング周波数を低減させるタイマー部２５のはたらきによって、第一スイッチング素子３１・第二スイッチング素子３２の動作周波数がそれぞれ同時に共振周波数で動作することがないようにし、始動動作時の共振動作における過大な共振電圧・共振電流の抑制を行うものである。
【０００５】
本発明の意図は始動動作時の共振動作における過大な共振電圧・共振電流の抑制をスイッチング制御回路２０とスイッチング制御回路２０に付属し始動時の過程でスイッチング周波数を低減させるタイマー部２５のはたらきによって行わせるものである。
【０００６】
【発明の実施形態】
図１・図２を用いて本発明の実施形態について説明する。一対のスイッチング素子３１・３２はトランジスタである。該スイッチング素子３１・３２にはそれらを交互にオン・オフさせるスイッチング制御回路２０およびスイッチング制御回路２０に付属し始動時の過程でスイッチング周波数を低減させるタイマー部２５が付属する。このオン９オフの周期によってインバータの出力周波数を決定する。スイッチング素子３１・３２の制御形態はいわゆる目励形・他励形のいずれであっても構わない。
ｉ１・ｉ２は、スイッチング素子３１・３２のオンのオフによって流れる電流である。ｉ１を正半波電流、ｉ２を負半波電流と呼ぶことにする。５３は予熱コンデンサである。これは蛍光管５毎に並列に接続される。
４１・４２は一対のフライホイールコンデンサである。これらはスイッチング素子３１・３２とそれぞれ逆並列に接続される。スイッチング素子３１・３２の予熱始動時の動作周波数は、図２もむ示すようにＴＯからＴ４へと時間が経過するにともなって、それぞれＦ０１からＦ４１、Ｆ０２からＦ４２遷移する。時刻Ｔ０、即ち電源投入直後スイッチング素子３１・３２はいずれも遅相動作モードである。遅相動作モードとはバラスト用インダクタ５２の電磁エネルギの一部をコンデンサ６１・６２に帰還し、その限度で回路付勢を弱める状態のことである。
【０００７】
時刻Ｔ０からある時間経過した時刻Ｔ１のとき、スイッチング素子３１・３２は動作周波数がＦ０１・Ｆ０２からＦ１１・Ｆ１２へと遷移しているが、いまだいずれも遅相動作モードである。更にある時間経過しＴ２となると動作周波数がＦ２１・Ｆ２２となる。Ｆ２２は共振周波数であり、回路動作が最大限度に活性化する状態である。しかし、Ｆ２１はいまだ遅相動作モードで動作している。負半波電流ｉ２が共振モードであっても、正半波電流ｉ１は遅相動作モードであり、共振動作が弱まる。
時刻Ｔ３では、動作周波数がＦ３１・Ｆ３２となり、Ｆ３１が共振周波数となる。しかし、この場合には、Ｆ３２が進相動作モードであり、共振動作を弱めている。進相動作モードとは、予熱コンデンサ５３の静電エネルギの一部がコンデンサ６１・６２に帰還し、その限度で回路付勢を弱める状態のことである。この場合コンデンサ６２に予熱コンデンサ５３の静電エネルギの一部を帰還している。時刻Ｔ４に至ると動作周波数がＦ４１・Ｆ４２となり、いずれも進相モードとなる。
以上のように、スイッチング素子３１・３２がそれぞれ同時に共振周波数で動作する状態がなく、従って始動時共振動作における過大な共振電流・共振電圧の発生を抑制することができる。
【０００８】
【発明の効果】
本発明では、スイッチング制御回路２０とスイッチング制御回路２０に付属し始動時の過程でスイッチング周波数を低減させるタイマー部２５のはたそれぞれ同時に共振周波数で動作する状態がなく、共振電圧の発生を抑制することができる。
【図面の簡単な説明】
【図１】本発明装置の回路図である。
【図２】予熱始動時の動作周波数の遷移と共振電流との関係を示す図である。
【符号の説明】
ｉ１：正半波電流
ｉ２：負半波電流
ｉ０：電源回路
１１：電源
１２０１３・１４・１５：整流用ダイオード
２０：スイッチング制御回路
２５：タイマー部
３１・３２：スイッチング素子
４１・４２：フライホイールダイオード
５０：放電管点灯回路
５１：主放電管
５２：バラスト用インダクタ
５３：予熱コンデンサ
６０：平滑コンデンサ
６１・６２：コンデンサ
【図１】
2004134331.tif 000003
【図２】
2004134331.tif 000004